(57)【要約】【課題】除湿運転から除霜運転に切り替わったとき、運転が停止したとの誤解を生じさせず、かつ除霜運転を早く終了させる。【解決手段】除湿運転から除霜運転に切り替わると、圧縮機４を停止する。第１送風機１２および第２送風機１３は駆動したままにする。各送風機１２、１３の回転数を上げ、除湿運転時よりも除霜運転時の風量を多くする。吸込口７から吸い込まれた空気は、蒸発器２を通過し、蒸発器２に付いた霜を溶かす。多くの風が蒸発器２を通過するので、早く除霜できる。蒸発器２を通過した風は、第１吹出口６から吹き出され、運転中であることがわかる。【選択図】  図１
2007232327.tif 000002
【特許請求の範囲】
【請求項１】
ハウジングに、蒸発器、凝縮器および圧縮機からなる冷凍サイクルと、蒸発器を通過した風を吹出口から吹き出すための送風機と、蒸発器に付いた霜を除去する除霜運転を行う制御装置とが設けられ、制御装置は、圧縮機を停止して、送風機の回転数を上げて、除霜運転を行うことを特徴とする空気調節装置。
【請求項２】
凝縮器を冷却するための第２送風機が設けられ、制御装置は、除霜運転時に第２送風機の回転数を上げずに、蒸発器用の送風機だけ回転数を上げることを特徴とする請求項１記載の空気調節装置。
【請求項３】
制御装置は、冷凍サイクルの運転中、着霜を検知したとき、除霜運転を開始し、除霜運転時の風量は冷凍サイクルの運転時の風量よりも大とされたことを特徴とする請求項１または２記載の空気調節装置。
【請求項４】
吹出口に、上下方向に回動するルーバが設けられ、制御装置は、除霜運転するとき、上向きに風が吹き出るように、ルーバを上方向に回動させることを特徴とする請求項１〜３のいずれかに記載の空気調節装置。
【請求項５】
ハウジングの前面に、吹出口が設けられ、背面に、吸込口および第２送風機による風を吹き出す第２吹出口が設けられ、除霜運転時、吸込口から吸い込まれて蒸発器を通過した風は吹出口から吹き出され、吸込口から吸い込まれて凝縮器を通過した風は第２吹出口から吹き出されることを特徴とする請求項１〜４のいずれかに記載の空気調節装置。
【発明の詳細な説明】
【技術分野】
【０００１】
本発明は、冷凍サイクルの運転によって除湿を行える床置き型の空気調節装置に関する。
【背景技術】
【０００２】
除湿機等の空気調節装置において、除湿運転を行うと、蒸発器に霜が付いて、熱交換能力が低下してくる。この霜を除去するために除霜運転が行われる。例えば、特許文献１に記載された除霜運転では、電磁弁により冷媒の流れを変え、高温の冷媒を蒸発器に送って、除霜を行う。このとき、室内送風機の運転は停止される。
【０００３】
また、特許文献２に記載された除霜運転では、冷房運転時に、蒸発器への着霜を検出すると、圧縮機の駆動を停止し、室内送風機の回転を最弱な状態にして、蒸発器の除霜を行う。
【特許文献１】特開平６−２４１５３６号公報
【特許文献２】特開平９−３３１４６号公報
【発明の開示】
【発明が解決しようとする課題】
【０００４】
従来の除霜運転では、送風機を停止させるか、あるいは送風機の回転数を下げている。このように除霜運転が開始された途端に、送風によって発生していた音が急に静かになる。ユーザは、例えばタイマが切れて、運転が停止したものと誤解するおそれがある。そのため、ユーザは、運転を開始させる操作を行おうとするが、操作しても無効とされるので、ユーザに戸惑いを生じさせる。
【０００５】
また、特許文献２のように、風量を下げることにより、冷えた室内の空気の吸い込みを減らして、除霜を早く終わらせることができる。しかし、ハウジング内に冷凍サイクルが構成される一体型の空気調節装置では、冷風だけでなく、温風も同時に室内に吹き出す。そのため、室内全体を冷房することはできない。閉め切った室内では、逆に室温が上がる場合がある。このような空気調節装置において、除霜運転時に風量を下げることは、温かい空気を利用できず、除霜には逆効果となり、除霜運転が長引く。
【０００６】
本発明は、上記に鑑み、除霜運転が開始しても、運転が停止したとの誤解を生じさせず、かつ除霜運転を早く終わらせるようにした除湿機等の空気調節装置の提供を目的とする。
【課題を解決するための手段】
【０００７】
本発明は、ハウジングに、蒸発器、凝縮器および圧縮機からなる冷凍サイクルと、蒸発器を通過した風を吹出口から吹き出すための送風機と、蒸発器に付いた霜を除去する除霜運転を行う制御装置とが設けられ、制御装置は、圧縮機を停止して、送風機の回転数を上げて、除霜運転を行うものである。
【０００８】
冷凍サイクルの運転中、蒸発器に着霜する。すると、制御装置は、これを検知して除霜運転を開始する。圧縮機が止まるとともに、送風機の回転数が上がるので、吹出口から吹き出される風量は増す。ユーザは、運転音の変化に気付き、除湿運転から除霜運転に切り替わったことを認識する。そして、蒸発器を通過する風量が増すので、早く除霜できる。
【０００９】
凝縮器を冷却するための第２送風機が設けられ、制御装置は、除霜運転時に第２送風機の回転数を上げずに、蒸発器用の送風機だけ回転数を上げる。少なくとも蒸発器に対しする風量が多くなれば、除霜を促進できるので、除霜運転の短縮を図れる。
【００１０】
また、除霜運転を開始するとき、除霜運転時の風量は冷凍サイクルの運転時の風量よりも大とされる。制御装置は、除霜運転時の風量が冷房運転や除湿運転といった冷凍サイクルの運転時において設定された風量よりも多くなるように、送風機の回転数が上がるように駆動制御する。あるいは除霜運転時に、風量が最大となるように駆動制御してもよい。これによって、蒸発器を通過する風量が多くなり、除霜が早まる。
【００１１】
吹出口に、上下方向に回動するルーバが設けられ、制御装置は、除霜運転するとき、上向きに風が吹き出るように、ルーバを上方向に回動させる。冷凍サイクルの運転時には、吹出口から冷風が吹き出されている。除霜運転に切り替わると、冷凍サイクルの運転が停止するので、吹出口から温かい風が吹き出す。そこで、ルーバを回動させることにより、風向きが上方向に変わり、温かい風が上向きに吹き出される。除霜運転中、ユーザに温かい風が直接当たらないようにでき、ユーザに不快感を与えない。
【００１２】
ハウジングの前面に、吹出口が設けられ、背面に、吸込口および第２送風機による風を吹き出す第２吹出口が設けられ、除霜運転時、吸込口から吸い込まれて蒸発器を通過した風は吹出口から吹き出され、吸込口から吸い込まれて凝縮器を通過した風は第２吹出口から吹き出される。
【００１３】
このような構造を有する空気調節装置では、冷凍サイクルの運転時、第２吹出口から温かい風が吹き出される。そのため、ハウジングの前面側に比べて背面側の空気の温度は高い。除霜運転が行われると、背面側の温かい空気が吸い込まれる。したがって、冷凍サイクルを内装した空気調節装置において、送風機の回転数を上げて、風量を多くすることにより、より効率的に除霜を行うことができ、除霜時間を短縮できる。
【発明の効果】
【００１４】
本発明によると、除霜運転時に蒸発器を通過する風量を多くすることにより、除霜を早く行うことができ、除霜時間を短縮できる。したがって、すばやく本来の冷房、除湿等の冷凍サイクルの運転に復帰させることができ、ユーザに不便をかけない。また、除霜運転中、吹出口から風が吹き出されるので、運転中であることがわかり、運転が停止したといった誤解をユーザに与えることはなく、ユーザに不要な操作をさせてしまうことを防げる。
【発明を実施するための最良の形態】
【００１５】
本実施形態の除湿機を図１に示す。除湿機の合成樹脂製ハウジング１は、縦長タイプで前後方向の奥行きが小さい構造とされる。ハウジング１内には、蒸発器２、凝縮器３、圧縮機４がそれぞれ設けられ、これらによって冷凍サイクルが構成される。ハウジング１の内部は、上下に仕切られ、上側に蒸発器２および凝縮器３が配され、下側に圧縮機４が配される。蒸発器２の下方には、ドレンタンク５が配される。ドレンタンク５は、ハウジング１の側面の下部から出し入れ可能とされる。
【００１６】
ハウジング１の前面の上部に第１吹出口６、背面の中央部に吸込口７、その上方に第２吹出口８がそれぞれ形成される。ハウジング１の上面には、操作部と持ち運び用の把手とが設けられ、下面の４隅にはキャスタ９が取り付けられ、容易に移動可能とされる。
【００１７】
ハウジング１の内部には、吸込口７から蒸発器２を通って第１吹出口６に至る冷風路１０と、吸込口７から凝縮器３を通って第２吹出口８に至る温風路１１とが形成される。冷風路１０では、蒸発器２の下流側に第１送風機１２が配される。第１送風機１２は、蒸発器２を通過した風を第１吹出口６から吹き出す。温風路１１では、凝縮器３の下流側に第２送風機１３が配される。第２送風機１３は、凝縮器３を冷却した風を第２吹出口８から吹き出す。
【００１８】
冷風路１０中に、正イオンおよび負イオンを発生するイオン発生装置１５が設けられ、冷風とともに正イオンおよび負イオンが室内に放出される。イオン発生装置１５は、第１送風機１２の下流側に配される。また、冷風路１０中に、発熱体としてヒータ１６が設けられる。ヒータ１６は、第１送風機１２の下流側に配され、蒸発器２を通過した風を温める。第１吹出口６にはルーバが設けられている。ルーバは、モータによって上下方向に回動される。このルーバと一体的に縦ルーバが設けられる。縦ルーバは、別のモータによって左右方向に回動される。
【００１９】
温風路１１は、途中で分岐して、冷風路１０に接続される。分岐点は、第２送風機１３の下流側に位置し、分岐点に、風の流れ方向を切り替えるダンパ１７が設けられる。ダンパ１７が回動することにより、温風路１１は、冷風路１０に対して独立した状態と、冷風路１０に接続された状態とに切り替えられる。したがって、送風切替の操作によって、温風が第２吹出口８に向かう風の流れと、温風と冷風とを混合して第１吹出口６に向かう風の流れとが選択できる。なお、ダンパ１７の回動は、レバー操作によって行われる。あるいはモータによってダンパ１７を回動させてもよい。また、ダンパ１７の代わりに、切替バルブを用いて、送風切替を行ってもよい。
【００２０】
そして、冷凍サイクルの運転を制御する制御装置２０が設けられる。図２に示すように、マイクロコンピュータからなる制御装置２０には、室内の湿度を検出する湿度検知器２１、室温を検出する温度検知器２２、蒸発器２の温度を検出する蒸発器温度検知器２３、ヒータ１６の近傍の温度を検出するヒータ温度検知器２４、ドレンタンク５の満水を検出する満水検知装置２５、ハウジング１に加わった振動を検出する振動検知器２６がそれぞれ接続される。また、各送風機１２、１３のモータを駆動するためのモータ駆動回路２７、圧縮機４を駆動するための圧縮機駆動回路２８、ヒータ１６に通電するためのヒータ駆動回路２９、イオン発生装置１５に高電圧を印加するための高圧ユニット駆動回路３０、ルーバのモータを駆動するためのルーバ駆動回路３１がそれぞれ接続される。
【００２１】
湿度検知器２１および温度検知器２２は、吸込口７の近傍に配され、室内から吸い込んだ空気の温度や湿度を検出する。蒸発器温度検知器２３は、蒸発器２の表面温度を検出する。ヒータ温度検知器２４は、ヒータ１６よりも下流側で第１吹出口６の近傍に配される。ヒータ温度検知器２４がヒータ１６を通過した風の温度を検出することにより、ヒータ１６の近傍の温度が間接的に検出される。
【００２２】
満水検知装置２５は、ドレンタンク５の水位に応じて上下するフロート３２と、フロート３２と一体的に設けられた磁石３３と、磁気を検出するホールセンサ等の磁気センサ３４とからなる。フロート３２と磁石３３はドレンタンク５内に配され、磁石３３は支軸を挟んでフロート３２に対向して設けられ、両者はシーソーのように動く。磁気センサ３４は、ドレンタンク５の上方に設けられ、磁石３３と対向するように配される。ドレンタンク５が満水になると、磁石３３が磁気センサ３４から離れ、磁気センサ３４がオフ信号を出力することにより、満水が検知される。また、ドレンタンク５がハウジング１から取り出されたとき、磁石３３は磁気センサ３４から離れ、ドレンタンク５がハウジング１に装着されると、磁石３３は磁気センサ３４に近接する。これにより、ドレンタンク５の有無を検知することができる。すなわち、満水検知装置２５は、ドレンタンク５の有無を検出するドレンタンク検知器を兼用している。
【００２３】
振動検知器２６は、球および球の動きに応じてオンオフするスイッチからなる一般的な感震器とされる。振動検知器２６は、ハウジング１内の上部に配される。
【００２４】
そして、制御装置２０は、選択された運転モードにしたがって、これらの検知器から入力された情報に基づき各駆動回路を駆動制御する。運転モードとして、冷風運転、衣類乾燥運転、衣類乾燥（速乾）運転、自動除湿運転、連続運転、送風運転が選択可能とされる。運転モードの選択は、操作部の運転切替ボタンを操作することにより行われる。
【００２５】
また、送風切替の操作により、クールモードとドライモードとが選択できる。クールモードでは、温風路１１と冷風路１０とはそれぞれ独立しており、第１吹出口６から冷風が吹き出され、第２吹出口８から温風が吹き出される。ドライモードでは、温風路１１が冷風路１０に連通して、第１吹出口６から冷風と温風とが同時に吹き出され、第２吹出口８からわずかに温風が吹き出される。なお、モータによってダンパ１７を回動させる場合、運転モードに応じてクールモードあるいはドライモードを自動的に切り替えることができる。
【００２６】
冷風運転では、クールモードを選択する。第１送風機１２により、室内の空気が吸込口７からフィルタを通して吸い込まれる。冷風路１０を流れる空気は、蒸発器２を通過するときに冷却され、冷風となる。このとき、空気中の水分が蒸発器２の表面に結露して、冷風は除湿される。結露した水分は、ドレンタンク５に集められる。除湿されて乾燥した冷風は、第１吹出口６から吹き出される。また、第２送風機１３により、室内の空気が吸込口７からフィルタを通して吸い込まれる。温風路１１を流れる風は、凝縮器３で加熱されて温風となって、第２吹出口８から吹き出される。このとき、設定された風量にしたがって、各送風機１２、１３が駆動される。
【００２７】
衣類乾燥運転では、ドライモードを選択する。吸込口７から吸い込まれた室内の空気は、蒸発器２により除湿され、冷風となる。凝縮器３によって温められた空気は、温風路１１から冷風路１０に流れる。第１吹出口６から乾燥した冷風と温風とが混合されて吹き出される。このとき、設定された風量にしたがって、各送風機１２、１３が駆動される。
【００２８】
衣類乾燥（速乾）運転では、ドライモードを選択して、ヒータ１６を作動させる。風の流れは衣類乾燥運転時と同じである。ヒータ１６の作動により、冷風が温められ、温風と混合されて、より高温になった風が第１吹出口６から吹き出される。このとき、設定された風量にしたがって、各送風機１２、１３が駆動される。
【００２９】
自動除湿運転では、ドライモードを選択する。風の流れは衣類乾燥運転時と同じである。このとき、設定された風量にしたがって、各送風機１２、１３が駆動される。また、室温および室内の湿度に応じて、冷凍サイクルの運転が制御され、除湿運転と送風運転とが切り替えられる。すなわち、湿度が規定値以上のときは、除湿運転が行われ、規定値未満になると、冷凍サイクルの運転が停止されて、送風運転が行われる。この規定値は、室温によって異なり、室温が標準温度以下のとき、規定値は標準湿度に設定され、室温が標準温度より高いとき、規定値は標準湿度より低い湿度、例えば５５％に設定される。なお、標準温度は、２７℃あるいは２８℃とされる。標準湿度は、６０％とされる。
【００３０】
また、自動除湿運転では、室温が標準温度よりも低いとき、風量が増大するように各送風機１２、１３が駆動される。すなわち、低温、例えば１５℃以下になったとき、自動的に風量が増える。これにより、低温時の除湿能力が高まる。
【００３１】
連続運転では、クールモードかドライモードのいずれかを選択する。湿度に関係なく連続した除湿運転が行われる。このとき、設定された風量にしたがって、各送風機１２、１３が駆動される。
【００３２】
送風運転では、クールモードかドライモードのいずれかを選択する。冷凍サイクルの運転は行われず、各送風機１２、１３だけが駆動される。
【００３３】
制御装置２０は、イオン発生装置１５を駆動して、正イオンおよび負イオンを発生させて、室内に放出するイオン運転を行う。イオン運転は、上記の各運転に対して任意で行われる。すなわち、イオン運転ボタンが操作されたときに、イオン運転が行われる。
【００３４】
イオン発生装置１５は、イオン発生素子と、これに高電圧を印加する高圧ユニット駆動回路３０とを有する。制御装置２０が高圧ユニット駆動回路３０を駆動すると、イオン発生素子に高電圧が印加され、イオン発生素子から正イオンおよび負イオンが発生する。正イオンおよび負イオンは、冷風路１０を流れる風によって第１吹出口６から吹き出される。
【００３５】
衣類乾燥運転、衣類乾燥（速乾）運転、自動除湿運転のときにイオン運転を行う場合、湿度に応じてイオン運転が制御される。湿度が上記の規定値より高い第２規定値、例えば７０％以上のとき、標準のイオン運転時よりもイオンの発生量が増えるように高濃度運転が行われる。高濃度運転では、イオン発生素子に印加する高圧パルス電圧の印加回数を多くすることにより、放電回数を増やして、イオンを多く発生させる。湿度が第２規定値未満のとき、標準のイオン運転が行われる。なお、標準のイオン運転では、正イオンおよび負イオンの発生量は約１５万個／ｃｃとされ、高濃度運転では、発生量は４０万〜５０万個／ｃｃとされる。
【００３６】
連続運転のときにイオン運転を行う場合、標準のイオン運転が行われる。さらに、衣類乾燥運転、衣類乾燥（速乾）運転のときにイオン運転を行う場合、運転開始後、一定時間、例えば１５分間は湿度に関係なく高濃度運転が行われる。高濃度運転によって、カビ菌等の室内に浮遊している菌に対して、すばやく除菌できる。
【００３７】
また、冷凍サイクルの運転において、制御装置２０は、室温に応じて圧縮機４の駆動を制御する。室温が第１温度未満、例えば約５℃未満になると、圧縮機４が停止され、除湿した水の凍結を防止する。室温が第２温度以上、例えば約４０℃以上になると、冷凍サイクルの運転が停止され、装置に無理がかからないようにして、装置を保護する。室温が第３温度以上、例えば約３５℃以上のとき、圧縮機４を駆動したまま、送風機１２、１３が高回転され、圧縮機４の温度を下げるようにする。
【００３８】
さらに、制御装置２０は、蒸発器２への着霜を検知したとき、除霜運転も行う。着霜の検知としては、所定の霜付き条件を満たしたときに着霜と判断する。例えば、室温が設定温度以下、例えば１９℃以下になったとき、あるいは、蒸発器２の表面温度が所定温度以下、例えば０℃以下になったときである。制御装置２０は、温度検知器２２や蒸発器温度検知器２３からの出力によりこの条件を満たしたことを検知したとき、除霜運転を行う。
【００３９】
除霜運転を開始すると、制御装置２０は、圧縮機４を停止させ、各送風機１２、１３を駆動する。各送風機１２、１３に対して、それぞれモータ駆動回路２７が設けられ、各送風機１２、１３は独立して駆動される。図３に示すように、制御装置２０は、除霜運転開始前に行っていた冷風運転等の除湿運転時に設定された風量を維持するように、各モータ駆動回路２７を制御する。これにより、各送風機１２、１３は、除湿運転時と同じ回転数で駆動される。
【００４０】
この除霜運転により、吸込口７から吸い込まれた室内の空気が蒸発器２を通過する。除湿機による除湿運転では、冷風が吹き出されるが、温風も同時に吹き出される。そのため、室内全体を冷房することはなく、閉め切った室内では室温が上がることもある。吸い込んだ室内の空気は温かいため、蒸発器２に付いた霜が溶ける。蒸発器２を通過した空気は、第１吹出口６から吹き出される。このように、除霜運転に切り替わっても、風は吹き出し続けているので、ユーザは運転中であることを認識でき、運転が停止したとユーザに誤解を与えることはない。
【００４１】
ここで、クールモードが選択されて除湿運転がされていたとき、第１吹出口６からは冷風が吹き出される。通常、ルーバの位置は、冷風が前方に吹き出すように調整されている。ところが、除霜運転に切り替わると、第１吹出口６からは温かい風が吹き出される。そのため、ユーザにとっては、涼感が損なわれ、不快感を覚える。
【００４２】
そこで、制御装置２０は、除霜運転を行うとき、ルーバ駆動回路３１を駆動して、ルーバを上方向に回動させる。第１吹出口６から風が上向きに吹き出す。これによって、温かい風はユーザに直接当たることがなくなり、ユーザに不快感を与えることはない。また、今までの除湿運転から除霜運転に切り替わったことをユーザに認識させることができ、不要な操作をさせずにすむ。
【００４３】
制御装置２０は、除霜運転の開始から一定時間経過したとき、除霜運転を終了する。あるいは、蒸発器温度検知器２３によって検出した蒸発器２の表面温度が所定温度に達したら、除霜運転を終了する。除霜運転が終了すると、切り替え前に行われていた除湿運転が再開される。
【００４４】
なお、ドライモードが選択されて除湿運転が行われていた場合には、第１吹出口６から冷風と温風とが混合した風が吹き出されている。除霜運転に切り替わったとき、第１吹出口から吹き出される風の温度はあまり上がらない。そのため、ルーバを上向きに回動させなくてもよい。
【００４５】
他の除霜運転として、図４に示すように、除湿運転時に設定された風量よりも高い風量で除霜運転を行う。制御装置２０は、除霜運転を開始するとき、各モータ駆動回路２７を制御して、各送風機１２、１３の回転数を上げる。なお、クールモードが選択されているとき、ルーバを上向きに回動させる。
【００４６】
これによって、蒸発器２を通過する風量が増加する。温かい風が通過するので、蒸発器２の霜を早く溶かすことができる。したがって、除霜時間を短縮でき、より早く本来の除湿運転に復帰させることができる。
【００４７】
特に、除湿機のハウジング１が室内の壁近くに置かれている場合、クールモードで除霜運転中、背面の第２吹出口８から温かい風が吹き出され、同じく背面にある吸込口７から近くの空気が吸い込まれる。ハウジング１の背面近傍には、温かい空気が溜まるので、第２吹出口８と吸込口７が近接して設けられていると、温度の高い空気を吸い込むことができる。温度の高い風が蒸発器２を通過するので、より一層除霜を促進でき、除霜時間をさらに短縮できる。すなわち、上記のような除霜運転の制御を行うことは、除湿機のような一体型の空気調節装置において、効率のよい除霜を行うことができる。
【００４８】
また、除霜運転時に各送風機１２、１３の回転数を上げる代わりに、第１送風機１２のみ回転数を上げ、第２送風機１３の回転数は変化させないようにする。これによっても、蒸発器２を通過する風量を多くすることができ、除霜時間を短縮できる。
【００４９】
冷凍サイクルの運転中、室内の空気が除湿されて、ドレンタンク５に水が溜まっていく。ドレンタンク５の水位が所定水位になると、制御装置２０は、満水検知装置２５からの出力信号によって満水を検知する。すなわち、水位の上昇に伴って、フロート３２が上がると、磁石３３が下がる。満水になると、磁気センサ３４は磁石３３の磁気を検出できなくなり、磁気センサ３４はオフ信号を出力する。
【００５０】
制御装置２０は、満水になったことを検知すると、冷凍サイクルの運転を停止するとともに、各送風機１２、１３の駆動を停止する満水停止を実行する。ドレンタンク５がハウジング１から取り出された後、空になったドレンタンク５が装着されると、満水検知装置２５の磁気センサ３４は、ドレンタンク５内の磁石３３の磁気を検出する。磁気センサ３４がオン信号を出力すると、制御装置２０は、ドレンタンク５が装着されたことを検知して、運転待機状態となる。なお、排水後のドレンタンク５が装着されたとき、満水停止前の運転を自動的に再開するような制御を行ってもよい。
【００５１】
また、ハウジング１に振動が加わったり、ハウジング１が転倒したとき、振動検知器２６は、この動きを検出して、オン信号を出力する。制御装置２０は、振動検知器２６の出力に基づいて振動の程度を判断する。軽微な振動の場合、振動検知器２６からの出力は、一瞬のオン信号であったり、短時間のオン信号である。一方、強い振動や転倒の場合、振動検知器２６からの出力は、連続したオン信号、あるいは長時間のオン信号である。制御装置２０は、所定時間経過したとき、オン信号が入力されていると、異常な振動であると判断し、所定時間経過したとき、オン信号が入力されていないと、軽微な振動であるから異常ではないと判断する。このように、最初に振動が検知されたときから制御を開始するまでの間に所定時間のタイムラグが設けられる。このタイムラグ時間は、振動検知器２６からのオン信号が入力された時点から判断する時点までの時間である。
【００５２】
そして、制御装置２０は、異常振動であると判断したとき、即座に全ての運転を停止して、電源をオフする異常停止を実行する。このとき、制御装置２０も動作を停止する。異常停止の復帰には、運転ボタンを２回操作するといった特殊操作を要する。特殊操作が行われると、電源がオンし、制御装置２０が立ち上がって、運転の制御が行われる。
【００５３】
異常停止後、すぐに運転を開始するとき、振動検知器２６自身が揺れていて、オン信号を出力する場合がある。この場合に特殊操作が行われたとき、制御装置２０は、振動検知器２６からの入力を一定時間受け付けない。一定時間の間に、振動検知器２６がオン信号を出力しても、制御装置２０は、この信号を無視し、異常停止を行わない。一定時間経過すると、運転が開始される。したがって、異常停止が繰り返されず、すぐに運転を開始することができる。
【００５４】
ところで、ドレンタンク５が満水になったとき、ハウジング１からドレンタンク５が取り出されて、排水される。そして、空になったドレンタンク５がハウジング１に装着される。この着脱のとき、ハウジング１に衝撃が加わって、ハウジング１が揺れる。振動検出器２６は、この振動を検出してしまう。
【００５５】
そこで、制御装置２０は、ドレンタンク５の満水になったことを検知したとき、振動の検知による制御を禁止する。すなわち、ドレンタンク５が満水になったとき、ドレンタンク５が着脱されるので、制御装置２０は、振動を検知しても、異常停止を行わない。
【００５６】
このように、ドレンタンク５が満水になったとき、ドレンタンク５の着脱が行われる。このとき、ハウジング１に振動が加わり、振動検知器２６は振動を検出する。しかし、この振動は無視され、異常停止が回避される。したがって、ドレンタンク５の着脱の度に特殊操作を行って、運転を復帰させる必要がなくなり、利便性の向上を図れる。
【００５７】
また、満水になったドレンタンク５を取り出した後、空のドレンタンク５が装着される。このときにも、ハウジング１が振動して、制御装置２０は、異常振動と判断するおそれがある。そこで、制御装置２０は、ドレンタンク５の満水を検知した後、一定水位より低い水位を検知したとき、所定時間だけ振動の検知による制御を禁止する。すなわち、満水停止中に、ドレンタンク５が装着されたとき、制御装置２０は、振動を検知しても、異常停止を行わない。
【００５８】
このように、空にしたドレンタンク５を装着したとき、ハウジング１に振動が加わり、振動検知器２６は振動を検出する。しかし、所定時間だけ、この振動は無視され、異常停止が回避される。この所定時間は、ドレンタンク５を装着したときに発生する振動が検知されない程度にまで収まる時間に設定する。したがって、不要な異常停止をなくすことができ、利便性の向上を図れる。
【００５９】
また、運転ボタンの操作により冷風運転、衣類乾燥運転、衣類乾燥（速乾）運転、自動除湿運転、連続運転のいずれかの除湿運転が停止された後、再運転を行うとき、制御装置２０は、圧縮機４の駆動を規制する。すなわち、除湿運転の停止後、再運転のために運転ボタンが操作されたとき、一定時間、例えば３分間だけ圧縮機４を駆動せず、送風機１２、１３だけを駆動する。一定時間が経過すると、圧縮機４が駆動され、冷凍サイクルの運転が開始される。また、電源プラグを差し込んだ直後に、運転ボタンを操作したときにも、同様の制御が行われる。これによって、圧縮機４に負荷がかからず、装置の保護を図れる。
【００６０】
ここで、衣類乾燥（速乾）運転では、ヒータ１６が作動する。冷凍サイクルの運転が停止しているときにヒータ１６が作動すると、室内の空気が加熱され、高温の風が第１吹出口６から吹き出される。そこで、制御装置２０は、冷凍サイクルの運転に応じてヒータ１６の作動を制御する。冷凍サイクルの運転を開始するとき、まず圧縮機４を駆動して、その後ヒータ１６を作動する。すなわち、圧縮機４が駆動されるまで、ヒータ１６の作動は禁止される。冷凍サイクルの運転を停止するとき、まずヒータ１６の作動を停止して、その後圧縮機４を停止する。
【００６１】
このように、圧縮機４が駆動しているときにのみ、ヒータ１６は作動可能とされる。圧縮機４の駆動により冷風が発生するので、ヒータ１６は冷風を加熱することになる。したがって、高温の風が吹き出すことを防止できる。
【００６２】
なお、本発明は、上記実施形態に限定されるものではなく、本発明の範囲内で上記実施形態に多くの修正および変更を加え得ることは勿論である。空気調節装置として、除湿機以外に、移動自在な床置き型であればよく、一体型空気調和機、クーラ、冷風機があげられる。
【００６３】
上記の除湿機では、２つの送風機にそれぞれモータが設けられ、独立して駆動されるが、１つのモータで２つの送風機を駆動する方式としてもよい。この場合、２つの送風機の回転数は同じとなる。ここで、第１送風機とモータとの間に変速機を介装することにより、第１送風機の回転数と第２送風機の回転数とを変えることができる。したがって、除霜運転時に第１送風機の回転数だけを上げることができる。また、着霜の検知として、蒸発器の表面状態を光センサや超音波センサにより直接的に検出して、霜の付着を検知してもよい。
【図面の簡単な説明】
【００６４】
【図１】本発明の除湿機の概略構成を示す図
【図２】除湿機の制御ブロック図
【図３】除霜運転における風量の設定テーブルを示す図
【図４】他の形態の除霜運転における風量の設定テーブルを示す図
【図５】他の形態の除霜運転における風量の設定テーブルを示す図
【符号の説明】
【００６５】
１    ハウジング
２    蒸発器
３    凝縮器
４    圧縮機
５    ドレンタンク
６    第１吹出口
７    吸込口
８    第２吹出口
１２    第１送風機
１３    第２送風機
１５    イオン発生装置
１６    ヒータ
２０    制御装置
【図１】
2007232327.tif 000003
【図２】
2007232327.tif 000004
【図３】
2007232327.tif 000005
【図４】
2007232327.tif 000006
【図５】
2007232327.tif 000007